(57)【要約】      （修正有）【課題】凹設された有底のカップホルダーを天板に有し、側面にＵＳＢ充電器を備える機能的なサイドテーブルを提供する。【解決手段】サイドテーブルは、天板を支持する脚柱７が、天板と対峙する設置面に設けられた脚台に固定される下部固定脚柱部５と、下部固定脚柱部に外嵌して上端が天板に固定されて上下に昇降可能な上部昇降脚柱部６とからなり、脚柱内にロック機能付きのガススプリングまたは油圧ダンパーからなる昇降装置が内蔵され、昇降装置のロック機能を操作する操作レバーが天板の下方に突設され、天板の側端にＵＳＢ充電器２０が取り付けられている。【選択図】図１
0003218726.tif 000002
【実用新案登録請求の範囲】
【請求項１】
凹設された有底のカップホルダーを天板に有するサイドテーブルにおいて、
天板を支持する脚柱が、天板と対峙する設置面に設けられた脚台に固定される下部固定脚柱部と、該下部固定脚柱部に外嵌して上端が天板に固定されて上下に昇降可能な上部昇降脚柱部とからなっており、
前記脚柱内にロック機能付きのガススプリングまたは油圧ダンパーからなる昇降装置が内蔵されており、
該昇降装置のロック機能を操作する操作レバーが前記天板の下方に突設されており、
前記天板の側端にＵＳＢ充電器が取り付けられていることを特徴とするサイドテーブル。
【請求項２】
ＵＳＢ充電器のＵＳＢポートが天板の上面側または天板の側面側に配置されていることを特徴とする請求項１に記載のサイドテーブル。
【請求項３】
ＵＳＢ充電器の電源ケーブルが、上部昇降脚柱部と下部固定脚柱部の内部を通って下部固定脚柱部の下方または脚台から外方に突出してなることを特徴とする請求項２に記載のサイドテーブル。
【考案の詳細な説明】
【技術分野】
【０００１】
本考案は、病院等のベッドサイド用のサイドテーブルや、家庭の寝室等に補助的に用いるサイドテーブルなどの昇降テーブルの改良に関するものである。
【背景技術】
【０００２】
この種のサイドテーブルとして、例えば特開２０１０−２７９４５９号のベッドサイドテーブルでは、長方形の長手方向の１辺の中央近傍を中心とする半円形の削除部分を有するテーブル板と、前記半円形の削除部分に合致し、前記中心周りに回転可能に取り付けられた前記中心を通る線で２分割されて折りたたみできる円形の板と、前記テーブル板を保持し、かつ前記円形の板の回転機構部を保持するキャスターの付いた上下に伸縮する支柱から構成されるベッドサイドテーブルが開示されている。
また、特開平９−２８９９２４号や特開２００２−２１９０２０号では、ロック式ガススプリングを脚柱に内蔵してレバー操作で脚柱を昇降して所望高さにテーブル板を設ける構造が開示されている。
しかし、これらの従来の構造では、更に、ＵＳＢ充電器を簡便に取り付けたサイドテーブルは提案されていない。
【先行技術文献】
【特許文献】
【０００３】
【特許文献１】特開２０１０−２７９４５９号公報
【特許文献２】特開平９−２８９９２４号公報
【特許文献３】特開２００２−２１９０２０号公報
【考案の概要】
【考案が解決しようとする課題】
【０００４】
本考案が、解決しようとする問題点は、内部にロック機能付きのガススプリングまたは油圧ダンパーを内蔵して高さ調整可能な１本の脚柱を有し、該脚柱に支持されたテーブルには、有底の凹部からなるコップホルダーを備えており、前記テーブルの下方には前記ロック機構用の操作ペダルを配置すると共に、テーブルの側面にＵＳＢ充電器を備えることで、簡単な構造で機能的なサイドテーブルを提供することができる。
【課題を解決するための手段】
【０００５】
本考案は、前記課題を解決するために、請求項１の考案では、
凹設された有底のカップホルダーを天板に有するサイドテーブルにおいて、
天板を支持する脚柱が、天板と対峙する設置面に設けられた脚台に固定される下部固定脚柱部と、該下部固定脚柱部に外嵌して上端が天板に固定されて上下に昇降可能な上部昇降脚柱部とからなっており、
前記脚柱内にロック機能付きのガススプリングまたは油圧ダンパーからなる昇降装置が内蔵されており、
該昇降装置のロック機能を操作する操作レバーが前記天板の下方に突設されており、
前記天板の側端にＵＳＢ充電器が取り付けられていることを特徴とする。
請求項２の考案では、
前記ＵＳＢ充電器のＵＳＢポートが天板の上面側または天板の側面側に配置されていることを特徴とする。
請求項３の考案では、
前記ＵＳＢ充電器の電源ケーブルが、上部昇降脚柱部と下部固定脚柱部の内部を通って下部固定脚柱部の下方または脚台から外方に突出してなることを特徴とする。
【考案の効果】
【０００６】
この考案は、昇降装置を内蔵した脚柱の操作レバーを天板の近傍に設けることで、脚柱の昇降操作を容易にすると共に、ＵＳＢ充電器を天板の側端に設けることで、カップホルダーを有する天板の使用面積を広くすることができる。
【図面の簡単な説明】
【０００７】
【図１】天板が矩形のサイドテーブルの斜視図である。
【図２】同底面から見た斜視図である。
【図３】天板が略正方形のサイドテーブルの斜視図である。
【図４】同底面から見た斜視図である。
【図５】脚柱部の昇降およびＵＳＢ充電器を示す説明図である。
【図６】天板の上面から見た部分拡大図である。
【考案を実施するための形態】
【０００８】
この考案の昇降テーブルをサイドテーブルに適用した好適実施例について図面を参照しながら説明する。
このサイドテーブル１は、図１および図２示すように、天板２にカップホルダー３を設けており、天板２に対峙して下方で左右に延び図示例ではＨ形状となっている脚台４と、該脚台４および天板２の左右のいずれか一方に偏って配置されて、脚台４に固定される下部固定脚柱部５と、該下部固定脚柱部５に対して相対的に昇降する上部昇降脚柱部６とからなる一つの脚柱７によって支持されている。
前記脚台４には、移動をスムーズにするために、長手方向の底面の両側にキャスター８を装備してもよい。
【０００９】
そして、上記下部固定脚柱部５と上部昇降脚柱部６との間には、ガススプリングまたは油圧ダンパーなどからなる昇降装置１０が内蔵されている。
例えば、ガススプリングの一例を挙げると、特開平９−２８９９２４号に開示されているような、ガススプリングにおけるロッド部の先端側に円筒状ばね受けを螺着し、ロッド部を甲板受けからレバー押さえ金具まで挿通した状態で、ばね受けの上端面を甲板受けに当接して、甲板受けを介して甲板を支持する。前記甲板受けに軸止めした操作レバーの末端側をレバー押さえ金具に臨入させると共にこの末端側の下面をロッド部の先端に近接させる一方、前記末端側の上面をレバー押さえ金具におけるレバー押さえ軸に当接させる構造で、前記操作レバーの操作でガススプリングを任意の高さに操作することができる。
【００１０】
また、例えば、特開平９−１４０４６１号では、ガスを封入したシリンダー、前記シリンダー内のピストンに取付けられ、前記シリンダー外へ突出したロッド及び前記ロッドの出入移動を阻止するロック機構とを備えたガススプリングと、前記ガススプリングの一端が取付けられる固定部に対して、前記ガススプリングの他端が取り付けられた可動負荷部と、前記可動負荷部を上下操作するためにこの可動負荷部に設けられた操作レバーと、前記操作レバーにて前記ロック機構を作動するロック解除装置とを備え、前記操作レバーの操作時、前記ロック解除装置を作動した後、前記操作レバーにて前記可動負荷部を上下両方向に操作させる構成が開示されている。
【００１１】
本実施例では、図５に例示するように、下部固定脚柱部５と上部昇降脚柱部６間にロック機構１１を持ったガススプリング１２を設け、ガススプリング１２の伸縮端側にロックを外す操作をする操作レバー１３を設けている。
【００１２】
この考案では、ロック機構１１、ガススプリング１２、操作レバー１３の構成は公知構成のものを用いることができ、特に限定されるものではない。
また、操作レバー１３は、天板２下方で、先端が天板２より側方に突出するように配置されることが操作しやすく好ましいが、この配意も特に限定されるものではない。
【００１３】
このサイドテーブル１の天板２には１つの角部近傍にカップホルダー３が形成されている。
このカップホルダー３は円筒状の凹部で有底となっており、コップや缶、ボルトなどを着脱可能に挿入して天板２上に保持することができる。
【００１４】
また、天板２にはその側端側にＵＳＢ充電器２０が天板２面から上に突出しないように、図示例では略同一面上に配置されている。
【００１５】
このＵＳＢ充電器２０は、接続端子を有する開口部２１を横向き〔図５参照）または上向き（図６参照）に配置しており、電源ケーブル２２が前記上部昇降脚柱部６から下部固定脚柱部５の中空内を通って、下部から外部に突出させて、室内のコンセントに接続できるようになっている。
【００１６】
ここで前記電源ケーブル２２は昇降装置１０の作動と緩衝しないように配線することが好ましいが、この考案ではＵＳＢ充電器２０から直接垂れ下がるようにしてもよい。
【００１７】
本実施例のサイドテーブル１は、上記構成からなっているが、昇降装置１０はガススプリング１２に変えて油圧ダンパー（図示省略）を内蔵して天板２の下降を緩衝するようにしてもよい。
また、ＵＳＢ充電器２０は天板２の外周に沿って任意の位置に取り付ける構造であってもよい。
その他、要するにこの考案の要旨を変更しない範囲で種々設計変更しうること勿論である。
【符号の説明】
【００１８】
１    サイドテーブル
２    天板
３    カップホルダー
４    脚台
５    下部固定脚柱部
６    上部昇降脚柱部
７    脚柱
８    キャスター
１０    昇降装置
１１    ロック機構
１２    ガススプリング
１３    操作レバー
２０    ＵＳＢ充電器
２１    開口部
２２    電源ケーブル
【図１】
0003218726.tif 000003
【図２】
0003218726.tif 000004
【図３】
0003218726.tif 000005
【図４】
0003218726.tif 000006
【図５】
0003218726.tif 000007
【図６】
0003218726.tif 000008